(57)【要約】【課題】小屋裏空間の換気量を増大させることによって、夏場においても快適な居住空間を形成することが可能な屋根の換気構造を提供することを目的とする。【解決手段】建物本体１（１Ａ）の上部に設けられた屋根２（２Ａ）の裏面側に遮熱材３（３Ａ）が設けられるとともに、天井４（４Ａ）の上面に天井断熱材５（５Ａ）が設けられており、これら遮熱材３（３Ａ）と天井断熱材５（５Ａ）との間に通気スペース６（６Ａ）が形成されており、この通気スペース６（６Ａ）は、屋根２（２Ａ）から上方に突出して設けられ、前記通気スペース６（６Ａ）内に溜まる暖かい空気を外部へと排出する換気塔７（７Ａ）に連続していることを特徴とする屋根２（２Ａ）の換気構造。これにより、温度の高い空気ほど換気塔から積極的に排出することができるので、従来に比して、小屋裏空間の換気量を格段に増大させることができる。【選択図】図１
2008106512.tif 000002
【特許請求の範囲】
【請求項１】
建物本体の上部に設けられた屋根の裏面側に遮熱材が設けられるとともに、天井の上面に天井断熱材が設けられており、これら遮熱材と天井断熱材との間に通気スペースが形成されており、
この通気スペースは、屋根から上方に突出して設けられ、前記通気スペース内に溜まる暖かい空気を外部へと排出する換気塔に連続していることを特徴とする屋根の換気構造。
【請求項２】
請求項１に記載の屋根の換気構造において、
前記通気スペースの近傍に、この通気スペース内と外部とを連通する空気取入口が設けられていることを特徴とする屋根の換気構造。
【請求項３】
請求項２に記載の屋根の換気構造において、
前記空気取入口は、建物本体に隣接して設けられ、この建物本体の上下方向に沿って空気を上昇させるためのる風洞部に面して開口していることを特徴とする屋根の換気構造。
【請求項４】
請求項２に記載の屋根の換気構造において、
前記空気取入口は、外壁より外側に突出する屋根の軒先部に取り付けられた軒天井に設けられていることを特徴とする屋根の換気構造。
【請求項５】
請求項１〜４のいずれか一項に記載の屋根の換気構造において、
前記屋根は建築用屋根パネルによって構成され、この建築用屋根パネルは、框材を矩形枠状に組み立ててなる矩形枠の上面に、野地板となる面材を取り付けて形成されており、
前記通気スペースは、前記矩形枠の内側を利用して形成されていることを特徴とする屋根の換気構造。
【発明の詳細な説明】
【技術分野】
【０００１】
本発明は、建物本体の上部に設けられた屋根の換気構造に関する。
【背景技術】
【０００２】
従来より、室内空間の断熱性を確保するために、天井板の上面にはグラスウール等の断熱材が敷き込まれている。また、小屋裏空間の換気のため、天井と屋根とが交差する取合部には通気スペースが設けられている。
ところが、住宅の気密性および断熱性を向上させるために、天井板の上面に敷き込まれる断熱材の厚みを大きくすると、天井と屋根とが交差する部分が断熱材によって塞がれてしまい、小屋裏空間の換気のための通気スペースを確保できない場合があった。
【０００３】
そこで、屋根の軒先部に、屋根の野地板の裏面との間に所定の間隔をもって軒先側遮熱材を配置することによって断熱材によって塞がれることのない通気路を形成する技術が知られている（例えば、特許文献１参照）。
このような技術によれば、小屋裏空間の直下に位置する部屋の天井高を高く設定できるとともに、滞りなく屋根の換気を行うことができる。その上、遮熱材による遮熱作用および天井の断熱材による断熱作用、さらに通気路に空気を通過させることによる放熱作用の相乗効果によって、室内への熱の侵入を効率良く防ぐことが可能となっている。
【特許文献１】特開２００６−０７７４２０号公報
【発明の開示】
【発明が解決しようとする課題】
【０００４】
ところが、特に夏場等においては、日中、屋根が強い日差しを浴び続けるため、上記のような通気路に空気を通過させるだけでは換気が追いつかず、小屋裏空間に熱気が溜まってしまう場合がある。そして、このように熱気が溜まると、熱気が徐々に室内へと伝わってしまうため、小屋裏空間の換気量をより増大させたいという要望があった。
【０００５】
本発明の課題は、小屋裏空間の換気量を増大させることによって、夏場においても快適な居住空間を形成することが可能な屋根の換気構造を提供することを目的とする。
【課題を解決するための手段】
【０００６】
請求項１に記載の発明は、例えば図１〜図６に示すように、建物本体１（１Ａ）の上部に設けられた屋根２（２Ａ）の裏面側に遮熱材３（３Ａ）が設けられるとともに、天井４（４Ａ）の上面に天井断熱材５（５Ａ）が設けられており、これら遮熱材３（３Ａ）と天井断熱材５（５Ａ）との間に通気スペース６（６Ａ）が形成されており、
この通気スペース６（６Ａ）は、屋根２（２Ａ）から上方に突出して設けられ、前記通気スペース６（６Ａ）内に溜まる暖かい空気を外部へと排出する換気塔７（７Ａ）に連続していることを特徴とする。
【０００７】
請求項１に記載の発明によれば、前記遮熱材３（３Ａ）と天井断熱材５（５Ａ）との間に形成された通気スペース６（６Ａ）が前記換気塔７（７Ａ）に連続しているので、暖かい空気がより高い所へと上昇していく性質を利用することで前記通気スペース６（６Ａ）内の暖かい空気を常に換気塔７（７Ａ）へと送ることができ、換気塔７（７Ａ）を通じて容易かつ確実に排出することができる。すなわち、温度の高い空気ほど前記換気塔７（７Ａ）から積極的に排出することができるので、従来に比して、小屋裏空間の換気量を格段に増大させることができる。これによって、前記通気スペース６（６Ａ）内に熱気が溜まることがなく、熱気が室内へと伝わることを確実に防ぐことができるので、夏場においても快適な居住空間を形成することが可能となる。
【０００８】
また、このように前記換気塔７（７Ａ）が、前記通気スペース６（６Ａ）に連続するようにして屋根２（２Ａ）に設けられて自然換気が行われるだけで、小屋裏空間の換気量を格段に増大させることができることから、例えば電動ファン等の換気装置のように電力等の動力を使用しないので、省エネルギー化およびコストの低減が可能となる。
また、前記通気スペース６（６Ａ）内の通気状態を常に保持することができるので、小屋裏空間に熱がこもらず、冬場においても結露の発生を防ぐことができる。
【０００９】
請求項２に記載の発明は、例えば図２および図４に示すように、請求項１に記載の屋根２（２Ａ）の換気構造において、
前記通気スペース６（６Ａ）の近傍に、この通気スペース６（６Ａ）内と外部とを連通する空気取入口８（８Ａ）が設けられていることを特徴とする。
【００１０】
請求項２に記載の発明によれば、前記通気スペース６（６Ａ）の近傍に、この通気スペース６（６Ａ）内と外部とを連通する空気取入口８（８Ａ）が設けられていることから、この空気取入口８（８Ａ）から外部の空気を通気スペース６（６Ａ）内へと確実に取り入れることができるので、前記換気塔７（７Ａ）を通じた小屋裏空間の自然換気を促進することができる。
【００１１】
請求項３に記載の発明は、例えば図１および図２に示すように、請求項２に記載の屋根２の換気構造において、
前記空気取入口８は、建物本体１に隣接して設けられ、この建物本体１の上下方向に沿って空気を上昇させるための風洞部９に面して開口していることを特徴とする。
【００１２】
請求項３に記載の発明によれば、暖かい空気がより高い所へと上昇していく性質を利用することで前記風洞部９内の暖かい空気を常に上昇させて順次排出できるので、風洞部９内に上昇気流を発生することができる。したがって、風洞部９内では、暖かい空気を排出すると同時に、この暖かい空気よりも比較的冷たい下方からの空気を上昇気流に乗じて上昇させることができるようになっている。すなわち、前記空気取入口８が前記風洞部９に面して開口することによって、この風洞部９内を建物本体１に沿って上昇する比較的冷たい空気を通気スペース６内へと取り入れることができるので、前記換気塔７を通じた小屋裏空間の自然換気をより促進できるとともに、小屋裏空間の温度の低下を図ることができる。
【００１３】
請求項４に記載の発明は、例えば図４に示すように、請求項２に記載の屋根２Ａの換気構造において、
前記空気取入口８Ａは、外壁より外側に突出する屋根２Ａの軒先部１０に取り付けられた軒天井１１に設けられていることを特徴とする。
【００１４】
請求項４に記載の発明によれば、前記空気取入口８Ａが設けられた軒天井１１は、前記外壁よりも外側に突出するとともに、外壁に対して交差する方向に延出するように配置されることとなるので、この軒天井１１付近の空気だけでなく、前記外壁に沿って上昇する空気を、前記空気取入口８Ａから通気スペース６Ａ内へと確実に取り入れることが可能となり、前記換気塔７Ａを通じた小屋裏空間の自然換気をより促進することができる。
【００１５】
請求項５に記載の発明は、例えば図２および図４に示すように、請求項１〜４のいずれか一項に記載の屋根２（２Ａ）の換気構造において、
前記屋根２（２Ａ）は建築用屋根パネル１２（１２Ａ）によって構成され、この建築用屋根パネル１２（１２Ａ）は、框材１２ｂ（１２Ａｂ）を矩形枠１２ａ（１２Ａａ）状に組み立ててなる矩形枠１２ａ（１２Ａａ）の上面に、野地板となる面材１２ｃ（１２Ａｃ）を取り付けて形成されており、
前記通気スペース６（６Ａ）は、前記矩形枠１２ａ（１２Ａａ）の内側を利用して形成されていることを特徴とする。
【００１６】
請求項５に記載の発明によれば、前記屋根２（２Ａ）が建築用屋根パネル１２（１２Ａ）によって構成されていることから、この建築用屋根パネル１２（１２Ａ）に、予め遮熱材３（３Ａ）を取り付けておくことができるとともに、前記建物本体１（１Ａ）が屋根２（２Ａ）と同質の建築用パネル１２（１２Ａ）で構成されたものである場合に、建物本体１（１Ａ）と屋根２（２Ａ）とを容易に連結することができるので作業効率が良い。
【００１７】
また、前記通気スペース６（６Ａ）は、前記矩形枠１２ａ（１２Ａａ）の内側を利用して形成されていることから、この通気スペース６（６Ａ）を形成する際に、改めて通気スペース６（６Ａ）用の設置スペースを確保する必要がないので、その分、小屋裏空間の下方に位置する部屋の天井４（４Ａ）高をより高く設定することが可能となる。
【発明の効果】
【００１８】
本発明によれば、遮熱材と天井断熱材との間に形成された通気スペースが換気塔に連続しているので、暖かい空気がより高い所へと上昇していく性質を利用することで通気スペース内の暖かい空気を常に換気塔へと送ることができ、換気塔を通じて容易かつ確実に排出することができる。すなわち、温度の高い空気ほど換気塔から積極的に排出することができるので、従来に比して、小屋裏空間の換気量を格段に増大させることができる。これによって、通気スペース内に熱気が溜まることがなく、熱気が室内へと伝わることを確実に防ぐことができるので、夏場においても快適な居住空間を形成することが可能となる。
【発明を実施するための最良の形態】
【００１９】
以下、図面を参照して本発明の実施の形態について説明する。なお、本実施の形態の建物は、壁や床、屋根といった建物の構成要素を予め工場にてパネル化しておき、施工現場でこれらの建築用パネルを組み立てて構築するパネル工法で構築されるが、従来の軸組工法や壁式工法の木造、鉄骨造、鉄筋コンクリート造等の建物にも適用することができる。
【００２０】
また、この建築用パネルとは、図示はしないが、縦横の框材が矩形枠状に組み立てられるとともに、矩形枠の内部に補助棧材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２１】
（第１の実施の形態）
本実施の形態の屋根２の換気構造は、図１および図２に示すように、建物本体１の上部に設けられた屋根２の裏面側に遮熱材３が設けられるとともに、天井４の上面に天井断熱材５が設けられており、これら遮熱材３と天井断熱材５との間に通気スペース６が形成されており、この通気スペース６は、屋根２から上方に突出して設けられ、前記通気スペース６内に溜まる暖かい空気を外部へと排出する換気塔７に連続している。
【００２２】
ここで、前記建物本体１は、上下階にわたる外壁面の一部が他の外壁面よりも室内側に後退した凹部９ａを有するとともに、この凹部９ａの下端部において横方向に形成されたガレージ９ｂを有しており、これら凹部９ａとガレージ９ｂとによって略Ｌ字状の空間を形成できるようになっている。すなわち、この略Ｌ字状の空間が風洞部９（後述する）とされている。
【００２３】
前記屋根２は建築用屋根パネル１２によって構成され、この建築用屋根パネル１２は、框材１２ｂを矩形枠１２ａ状に組み立ててなる矩形枠１２ａの上面に、野地板となる面材１２ｃを取り付けて形成されており、このような建築用屋根パネル１２を、傾斜がほとんどない陸屋根状に組んでいる。
【００２４】
また、図２に示すように、屋根２の面材１２ｃの裏面に遮熱材３が取り付けられるとともに、天井４の上面に天井断熱材５が設けられており、これら遮熱材３と天井断熱材５との間に前記通気スペース６が形成されている。
【００２５】
なお、この通気スペース６は、前記矩形枠１２ａの内側を利用して形成されており、前記屋根２が建築用屋根パネル１２によって構成されていることから、この建築用屋根パネル１２に、予め遮熱材３を取り付けておくことができるとともに、前記建物本体１が屋根２と同質の建築用パネルで構成されたものである場合に、建物本体１と屋根２とを容易に連結することができるので作業効率が良い。
また、前記通気スペース６は、前記矩形枠１２ａの内側を利用して形成されていることから、この通気スペース６を形成する際に、改めて通気スペース６用の設置スペースを確保する必要がないので、その分、小屋裏空間の下方に位置する部屋の天井高をより高く設定することが可能となる。
【００２６】
また、前記通気スペース６の近傍に、この通気スペース６内と外部とを連通する空気取入口８が設けられており、これにより、この空気取入口８から外部の空気を通気スペース６内へと確実に取り入れることができるので、前記換気塔７を通じた小屋裏空間の自然換気を促進することができるようになっている。
【００２７】
次に、前記換気塔７は、図２に示すように、屋根２から上方に突出する換気塔本体７０と、この換気塔本体７０３の上面より上方に突出する換気筒７１４と、前記換気塔本体７０の上端部および換気筒７１を覆う換気塔カバー７２とを備えている。
このような換気塔７は、平坦な屋根２面に形成された開口部７３の外周縁部に立設されており、図示しない鋼製ガセットによって屋根２に緊結されている。
【００２８】
さらに、前記換気塔７は、木質の矩形板状の構造用パネルを四角筒状に組み立てるとともに、その上端開口部に同様の構造用パネルを水平に固定することによって、前記換気塔本体７０が構成されている。そして、水平に固定された構造用パネルには、四角形状の孔７４が形成されている。
【００２９】
さらに、前記換気筒７１は、四角筒状に形成されており、その下端を孔７４の下端に一致させて挿入固定されている。換気筒７１の上部は換気塔本体７０の上面より上方に突出しており、その上端開口部にはフード７５が装着され、このフード７５によって換気筒７１の上端開口が閉塞されている。そして、フード７５の周壁７５ａは換気筒７１の上端外周壁７１ａから離間しており、周壁７５ａと対向する換気筒７１の上端外周壁７１ａには通気孔７１ｂが周方向に所定間隔で多数形成されている。
【００３０】
一方、前記換気塔本体７０には、図１に示すように、この換気塔本体７０の上端部および換気筒７１を覆う換気塔カバー７２が装着されており、この換気塔カバー７２は、図４に示すように、換気塔カバー７２の周壁に沿って延在し、かつ下方に向かって開口する換気部７２ａを備えている。また、この換気部７２ａは換気塔カバー７２の内部と連通している。
【００３１】
したがって、換気筒７１内を上昇してきた空気は、前記通気孔７１ｂから吹出し、さらに、換気塔カバー７２の内部を通って、換気部７２ａから外部に吹出すようになっている。つまり、小屋裏空間の空気を、前記換気塔カバー７２の内部を通過させるとともに、前記換気部７２ａから外部へと排出することができる。
また、前記換気部７２ａが下方に向かって開口しているので、小屋裏内に流入しようとする風雨は、まず、前記換気部７２ａの位置で真上方向に向きを換えて換気部７２ａの内側に侵入し、その直後、水平方向に向きを換えてから換気塔カバー７２の内部に流入しなければならない。そして、前記通気孔７１ｂへと達する間に風雨の流入速度が低下するので、風雨の小屋裏内への流入を防ぐことができる。
【００３２】
なお、換気塔カバー７２の裏面とフード７５の表面との間には結露防止断熱材７６が設けられている。また、換気塔本体７０の外周壁には外壁材７７が取り付けられており、内周壁には石膏ボード等の耐火材７８が取り付けられている。この耐火材７８の下端部は前記屋根２に形成された開口部７３の内周面まで延びて、該内周面に固定されている。
【００３３】
一方、前記風洞部９は、暖かい空気がより高い所へと上昇していく性質を利用することで風洞部９内の暖かい空気を常に上昇させて順次排出して、風洞部９内に上昇気流を発生させるものである。これにより、風洞部９内では、暖かい空気を排出すると同時に、この暖かい空気よりも比較的冷たい下方からの空気を上昇気流に乗じて上昇させることができるようになっている。
【００３４】
また、前記凹部９ａは、建物本体１の上下方向に沿って空気を上昇させて外部に排出するための上昇経路９ａであり、前記ガレージ９ｂは、外部の空気を取り入れて上昇経路９ａ内に吹き込ませるための吹込経路９ｂとなっている。
これによって、横方向や斜め方向に吹く風を吹込経路９ｂ内に取り入れやすくなるので、取り入れた外部の空気を上昇経路９ａ内に確実に吹き込ませることが可能となる。
【００３５】
また、図１に示すように、前記風洞部９に沿って複数の部屋１３，１４，１５，１６，１７が配置されており、これら複数の部屋１３，１４，１５，１６，１７は、前記風洞部９に面する開口部１３ａ，１４ａ，１５ａ，１６ａ，１７ａと、この開口部１３ａ，１４ａ，１５ａ，１６ａ，１７ａに対向する窓１３ｂ，１４ｂ，１５ｂ，１６ｂ，１７ｂとを備えている。これによって、風洞部９内を上昇する空気を効率良く取り入れて、前記複数の部屋１３，１４，１５，１６，１７の自然換気を促進することができるようになっている。
【００３６】
そして、このような風洞部９に面して前記空気取入口８が開口している。すなわち、図２に示すように、前記建築用屋根パネル１２の風洞部９側端部から、風洞部９に面する外壁材まで貫通して、空気取入用の筒状体８ａが設置されており、前記通気スペース６内と風洞部９とを連通している。
このように空気取入口８が前記風洞部９に面して開口することによって、この風洞部９内を建物本体１に沿って上昇する比較的冷たい空気を通気スペース６内へと取り入れることができるので、前記換気塔７を通じた小屋裏空間の自然換気をより促進できるとともに、小屋裏空間の温度の低下を図ることができる。
また、この空気取入口８によって確実に通気状態を保持することができるので、小屋裏空間に熱がこもらず、例えば冬場においても結露の発生を防ぐことができる。
【００３７】
しかも、このように小屋裏空間の換気を効率良く換気できるので、屋根２の放熱効果を得ることができ、この放熱効果と、前記遮熱材３による遮熱作用および前記天井断熱材５による断熱作用との相乗効果によって、小屋裏空間の下方に位置する部屋内への熱の侵入を効率良く防ぐことが可能となっている。
【００３８】
本実施の形態によれば、前記遮熱材３と天井断熱材５との間に形成された通気スペース６が前記換気塔７に連続しているので、暖かい空気がより高い所へと上昇していく性質を利用することで前記通気スペース６内の暖かい空気を常に換気塔７へと送ることができ、換気塔７を通じて容易かつ確実に排出することができる。すなわち、温度の高い空気ほど前記換気塔７から積極的に排出することができるので、従来に比して、小屋裏空間の換気量を格段に増大させることができる。これによって、前記通気スペース６内に熱気が溜まることがなく、熱気が室内へと伝わることを確実に防ぐことができるので、夏場においても快適な居住空間を形成することが可能となる。
【００３９】
また、このように前記換気塔７が、前記通気スペース６に連続するようにして屋根２に設けられて自然換気が行われるだけで、小屋裏空間の換気量を格段に増大させることができることから、例えば電動ファン等の換気装置のように電力等の動力を使用しないので、省エネルギー化およびコストの低減が可能となる。
【００４０】
（第２の実施の形態）
次に、図面を参照して本発明の第２の実施の形態について説明する。なお、説明の便宜上、上述した第１の実施の形態とは異なる構成部分のみについて説明する。
【００４１】
本実施の形態の屋根２Ａの換気構造は、図３に示すように、建物本体１Ａの上部に設けられた勾配を有する屋根２Ａに適用されるものであり、勾配を有する屋根２Ａとして、本実施の形態においては寄棟屋根の形態が採用されている。
そして、図４に示すように、この屋根２Ａの裏面側には遮熱材３Ａが設けられ、天井４Ａの上面には天井断熱材５Ａが設けられており、これら遮熱材３Ａと天井断熱材５Ａとの間に通気スペース６Ａが形成されている。
【００４２】
また、前記通気スペース６Ａは、図４に示すように、前記屋根２Ａから上方に突出して設けられ、通気スペース６Ａ内に溜まる暖かい空気を外部へと排出する換気塔７Ａに連続している。また、この通気スペース６Ａの近傍には、この通気スペース６Ａ内と外部とを連通する空気取入口８Ａが設けられている。
【００４３】
前記空気取入口８Ａは、外壁より外側に突出する屋根２Ａの軒先部１０に取り付けられた軒天井１１４Ａに設けられており、この空気取入口８Ａは、前記軒天井１１４Ａを厚さ方向に貫通する複数の孔８Ａａによって構成されている。
【００４４】
なお、前記屋根２Ａと外壁との交差部付近には、前記天井４Ａの上面に設けられた天井断熱材５Ａが前記通気スペース６Ａを塞ぐことがないように、換気スペーサー２０が設けられている。
この換気スペーサー２０は、前記屋根２Ａを構成する建築用屋根パネル１２Ａの矩形枠１２Ａａに、建築用屋根パネル１２Ａの面材１２Ａｃの裏面との間に所定の間隔をもって配置されて取り付けられている。所定の間隔とは、図５に示すように、前記通気スペース６Ａを確保することができるような間隔を示している。
【００４５】
また、前記換気スペーサー２０は、前記屋根２Ａの裏面側に設けられた遮熱材３Ａと同様の遮熱性能を有する軒先側遮熱材２０ａ３Ａと、この軒先側遮熱材２０ａ３Ａを前記矩形枠１２Ａａに固定して支持するための支持部材２０ｂとを備えている。そして、このように換気スペーサー２０が遮熱性能を有しているので、屋根２Ａの遮熱作用をより向上させることができるようになっている。
【００４６】
さらに、前記建築用屋根パネル１２Ａの面材１２Ａｃの上面には屋根材２１が葺かれるが、この屋根材２１にも遮熱性能を持たせることによって、屋根２Ａ全体の遮熱性能をより一層向上させることができるようになっている。
【００４７】
前記換気塔７Ａは、前記屋根２Ａの頂点、すなわち棟部２２から上方に突出して設けられており、この棟部２２近傍に形成された開口部２３の外周縁部に立設されており、図示しない鋼製ガセットによって屋根２Ａに緊結されている。
【００４８】
また、前記屋根２Ａの棟部２２は、図７に示すように、建築用屋根パネル１２Ａどうしを、所定の勾配を備えるように結合してなり、これら建築屋根パネル１２Ａどうしの間に、前記通気スペース６Ａ内と外部とを連通する開口部２４が形成されている。また、この開口部２４に面する建築用屋根パネル１２Ａの框材１２Ａｂは、図８に示すように、直交方向の框材１２Ａｂに対して高さ寸法が短い状態で、隙間を形成するようにして設けられており、前記通気スペース６Ａからの暖かい空気を、前記建築用屋根パネル１２Ａどうし間の開口部２４から排出しやすくなっている。
【００４９】
さらに、前記棟部２２には、この棟部２２を包み込んで雨水等の浸入を防ぐための棟包み２５が取り付けられており、この棟包み２５には、前記通気スペース６Ａからの暖かい空気を外部へと逃がす換気孔（図示せず）を有している。
【００５０】
なお、この棟包み２５と前記換気塔７Ａとは、図３に示すように、前記屋根２Ａの棟部２２において並設されており、暖かい空気がより高い所へと上昇していく性質を利用することによって、これら換気塔７Ａと棟包み２５に形成された換気孔の双方から、前記通気スペース６Ａ内の暖かい空気を常に外部へと排出することができるので、小屋裏空間の換気量をより格段に増大させることができる。
【００５１】
本実施の形態によれば、第１の実施の形態と同じ効果を得ることができるとともに、前記空気取入口８Ａが設けられた軒天井１１４Ａは、前記外壁よりも外側に突出するとともに、外壁に対して交差する方向に延出するように配置されることとなるので、この軒天井１１４Ａ付近の空気だけでなく、前記外壁に沿って上昇する空気を、前記空気取入口８Ａから通気スペース６Ａ内へと確実に取り入れることが可能となり、前記換気塔７Ａを通じた小屋裏空間の自然換気をより促進することができる。
【図面の簡単な説明】
【００５２】
【図１】本発明の建物の換気構造に係る第１の実施の形態を示す断面図である。
【図２】建物本体の上部に設けられた屋根および換気塔を示す拡大断面図である。
【図３】本発明の建物の換気構造に係る第２の実施の形態を示す断面図である。
【図４】建物本体の上部に設けられた屋根を示す断面図である。
【図５】図４に示す屋根および軒先側遮熱材を示すＡ−Ａ断面図である。
【図６】屋根の上部に立設された換気塔を示す拡大断面図である。
【図７】屋根の棟部を示す拡大断面図である。
【図８】屋根の棟部付近に設けられる建築用屋根パネルの框材の態様を示す斜視図である。
【符号の説明】
【００５３】
１  建物本体
２  屋根
３  遮熱材
４  天井
５  天井断熱材
６  通気スペース
７  換気塔
８  空気取入口
【図１】
2008106512.tif 000003
【図２】
2008106512.tif 000004
【図３】
2008106512.tif 000005
【図４】
2008106512.tif 000006
【図５】
2008106512.tif 000007
【図６】
2008106512.tif 000008
【図７】
2008106512.tif 000009
【図８】
2008106512.tif 000010